(57)【要約】      （修正有）【課題】装置自体が大型化することなく、被調理材の温度の上昇を抑制することができるブレンダーを提供する。【解決手段】カバー８を容器２の外側部に着脱可能とすることで、必要に応じてカバー８を容器２の外側に装着でき、装置自体が必要最低限の構成となるため、装置自体が大型化することを防止できる。また、容器２の外側部である中部外側部の直径が下部外側部と上部外側部のそれぞれの直径より小さく形成されている。換言すれば、容器２の外側部である両端に向かう程スカート状に直径が広がった形状となっている。この形状とすることにより、蓄冷部７を有するカバー８が容器２の上下方向に対して位置ズレし難く、安定して容器に密着させることができる。【選択図】図２
2016150194.tif 000002
【特許請求の範囲】
【請求項１】
電動機を有する本体と、
前記本体に対して着脱自在に載置されると共に前記電動機によって回転し被調理材を切削可能な切削部を有する筒状の容器と、
前記容器は、前記切削部を囲う内側部と、前記内側部の外周に配された下部外側部と、前記切削部の上方に配された上部外側部と、前記下部外側部と前記上部外側部とを連続的に連結する中部外側部とを有し、前記中部外側部の直径は前記下部外側部と前記上部外側部のそれぞれの直径より小さく形成され、
蓄冷剤が充填された蓄冷部を有するカバーを前記容器の前記下部外側部と前記中部外側部と前記上部外側部の外側部に沿って着脱自在に装着可能とするブレンダー。
【請求項２】
前記容器が着脱自在に載置される前記本体に配された容器台と、
前記容器台に対して着脱自在に配された結露受け部と、
をさらに備え、
前記容器の外側部と前記蓄冷部の内側および外側のうちの少なくとも一方で発生した結露を前記結露受け部で貯水可能とする請求項１に記載のブレンダー。
【請求項３】
前記カバーの蓄冷部は、長手方向が前記容器の縦方向に沿うように離間部を介して複数配された請求項１または２に記載のブレンダー。
【請求項４】
前記カバーの蓄冷部は、複数の長手部と、その長手部を連結する短手部とを有して蛇行し、前記複数の長手部の長手方向が前記容器の縦方向に沿うように離間部を介して配された請求項３に記載のブレンダー。
【請求項５】
前記カバーを前記容器の外側部に沿って装着したときに、
前記カバーを前記複数の蓄冷部の長手方向に直交する線分で切った断面において、
前記蓄冷部と前記容器の外側部とが接触する接触部の長さが、
前記接触部に隣接する前記蓄冷部と前記容器の外側部とが接触しない非接触部の長さより短く形成された請求項１〜４のいずれか１項に記載のブレンダー。
【発明の詳細な説明】
【技術分野】
【０００１】
本発明は、被調理材である主として野菜、果物等を粉砕して液体物と混合させることによりジュースをつくるブレンダーに関するものである。
【背景技術】
【０００２】
従来、この種のブレンダーは、特許文献１に示されているように、被調理材を収納する収納室の外周に氷等の冷却物を収納する冷却室を形成し、冷却室に氷等の冷却物を収納することによって、外気の温度を被調理材に伝わりにくくし、被調理材の温度の上昇を抑制していた。
【先行技術文献】
【特許文献】
【０００３】
【特許文献１】実開昭６３−２０２２３６号公報
【発明の概要】
【発明が解決しようとする課題】
【０００４】
しかしながら、前記従来の構成では、収納室の外周に氷等の冷却物を収納する冷却室を設けているため、装置自体が大型化するという課題を有していた。
【０００５】
本発明は、前記従来の課題を解決するもので、装置自体が大型化することなく、被調理材の温度の上昇を抑制することができるブレンダーを提供することを目的とする。
【課題を解決するための手段】
【０００６】
この課題を解決するために本発明のブレンダーは、電動機を有する本体と、前記本体に対して着脱自在に載置されると共に前記電動機によって回転し被調理材を切削可能な切削部を有する筒状の容器と、前記容器は、前記切削部を囲う内側部と、前記内側部の外周に配された下部外側部と、前記切削部の上方に配された上部外側部と、前記下部外側部と前記上部外側部とを連続的に連結する中部外側部とを有し、前記中部外側部の直径は前記下部外側部と前記上部外側部のそれぞれの直径より小さく形成され、蓄冷剤が充填された蓄冷部を有するカバーを前記容器の前記下部外側部と前記中部外側部と前記上部外側部の外側部に沿って着脱自在に装着可能とするものである。
【０００７】
これによって、カバーを容器の外側部に着脱可能とすることで、必要に応じてカバーを容器の外側に装着でき、装置自体が必要最低限の構成となるため、装置自体が大型化することを防止できる。
【０００８】
また、中部外側部の直径が下部外側部と上部外側部のそれぞれの直径より小さく形成されていることにより、蓄冷部を有するカバーが容器の上下方向に対して位置ズレし難く、安定して容器に密着させることができる。
【発明の効果】
【０００９】
本発明のブレンダーは、装置自体が大型化することなく、被調理材の温度の上昇を抑制することができる。
【図面の簡単な説明】
【００１０】
【図１】本発明の実施の形態１におけるブレンダーの断面図
【図２】本発明の実施の形態１におけるブレンダーにカバーを装着した状態を示す断面図
【図３】本発明の実施の形態１におけるブレンダーにカバーを装着した状態を示す要部断面図
【図４】本発明の実施の形態１におけるブレンダーに装着可能なカバーを示す正面図
【図５】本発明の実施の形態１におけるブレンダーを示す要部分解斜視図
【図６】本発明の実施の形態１におけるブレンダーにカバーを装着した状態を示す横断面図
【図７】本発明の実施の形態１におけるブレンダーにカバーを装着した状態を示す部分拡大横断面図
【発明を実施するための形態】
【００１１】
第１の発明は、電動機を有する本体と、前記本体に対して着脱自在に載置されると共に前記電動機によって回転し被調理材を切削可能な切削部を有する筒状の容器と、前記容器は、前記切削部を囲う内側部と、前記内側部の外周に配された下部外側部と、前記切削部の上方に配された上部外側部と、前記下部外側部と前記上部外側部とを連続的に連結する中部外側部とを有し、前記中部外側部の直径は前記下部外側部と前記上部外側部のそれぞれの直径より小さく形成され、蓄冷剤が充填された蓄冷部を有するカバーを前記容器の前記下部外側部と前記中部外側部と前記上部外側部の外側部に沿って着脱自在に装着可能とするものである。
【００１２】
これによって、カバーを容器の外側部に着脱可能とすることで、必要に応じてカバーを容器の外側に装着でき、装置自体が必要最低限の構成となるため、装置自体が大型化することを防止できる。
【００１３】
また、中部外側部の直径が下部外側部と上部外側部のそれぞれの直径より小さく形成されていることにより、蓄冷部を有するカバーが容器の上下方向に対して位置ズレし難く、安定して容器に密着させることができる。
【００１４】
第２の発明は、特に、第１の発明において、前記容器が着脱自在に載置される前記本体に配された容器台と、前記容器台に対して着脱自在に配された結露受け部と、をさらに備え、前記容器の外側部と前記蓄冷部の内側および外側のうちの少なくとも一方で発生した結露を前記結露受け部で貯水可能とするものである。
【００１５】
これによって、容器の外側部と蓄冷部の内側および外側のうちの少なくとも一方で発生した結露を結露受け部で貯水可能とすることとなり、装置を載置したテーブル等を結露で濡らすことがないものである。
【００１６】
第３の発明は、特に、第１または第２の発明において、前記カバーの蓄冷部は、長手方向が前記容器の縦方向に沿うように離間部を介して複数配されたものである。
【００１７】
これによって、離間部でカバーが折れ曲がり、容器の外側部に沿ってカバーを装着することができる。
【００１８】
第４の発明は、特に、第３の発明において、前記カバーの蓄冷部は、複数の長手部と、その長手部を連結する短手部とを有して蛇行し、前記複数の長手部の長手方向が前記容器の縦方向に沿うように離間部を介して配されたものである。
【００１９】
これによって、蓄冷部が連続した構成となり、蓄冷部に蓄冷剤を一度に充填することができ、安価な構成が得られる。
【００２０】
第５の発明は、特に、第１〜４のいずれか１つの発明において、前記カバーを前記容器の外側部に沿って装着したときに、前記カバーを前記複数の蓄冷部の長手方向に直交する線分で切った断面において、前記蓄冷部と前記容器の外側部とが接触する接触部の長さが、前記接触部に隣接する前記蓄冷部と前記容器の外側部とが接触しない非接触部の長さより短く形成されたものである。
【００２１】
これによって、容器に蓄冷部が接する面積を小さくすることとなり、蓄冷剤の冷気が必要以上に容器側に移り難くなり、蓄冷剤の保冷効果を長く持続させることができる。
【００２２】
以下、本発明の実施の形態について、図面を参照しながら説明する。なお、この実施の形態によって本発明が限定されるものではない。
【００２３】
（実施の形態１）
図１は、本発明の実施の形態１におけるブレンダーの断面図である。図２は、本発明の実施の形態１におけるブレンダーにカバーを装着した状態を示す断面図である。図３は、本発明の実施の形態１におけるブレンダーにカバーを装着した状態を示す要部断面図である。図４は、本発明の実施の形態１におけるブレンダーに装着可能なカバーを示す正面図である。図５は、本発明の実施の形態１におけるブレンダーを示す要部分解斜視図である。図６は、本発明の実施の形態１におけるブレンダーにカバーを装着した状態を示す横断面図である。図７は、本発明の実施の形態１におけるブレンダーにカバーを装着した状態を示す部分拡大横断面図である。
【００２４】
図１において、本実施の形態１におけるブレンダーの構成は、本体９には電動機（図示せず）を有し、本体９に対して着脱自在に載置されると共に電動機によって回転駆動し被調理材を切削可能なカッターで構成される切削部１を有する筒状の容器２を有している。図１は、本体９に容器２を装着した状態を示している。本体９には、電動機をオン、オフさせるためのスイッチを有する操作部（図示せず）を有している。
【００２５】
容器２は、切削部１を囲う内側部３と、内側部３の外周に配された下部外側部４と、切削部１の上方に配された上部外側部５と、下部外側部４と上部外側部５とを連続的に連結する中部外側部６とで構成されている。容器２の外側部は、下部外側部４と上部外側部５と中部外側部６とで構成されている。また中部外側部６の直径Ｄ１は、下部外側部４の直径Ｄ２と上部外側部５の直径Ｄ３より小さく形成されている。容器２は、被調理材である野菜、果物、液体物等を収納可能となっている。
【００２６】
蓄冷剤が充填された蓄冷部７を有するカバー８を、容器２の下部外側部４と中部外側部６と上部外側部５の外側部に沿って着脱自在に装着可能としている。図１は、容器２にカバー８を装着していない状態を示し、図２は、容器２にカバー８を装着している状態を示し、図３は、カバー８を装着した容器を、本体９から取り外した状態を示している。
【００２７】
本体９の上部には容器台１０が形成され、詳細には容器台１０に対して容器２が着脱自在に載置される構成である。容器台１０に対して容器２が載置されたときには、容器台１０の上面と容器２の下部外側部４の下面が接する構成となっている。
【００２８】
図５に示すように、容器台１０に対して上方から着脱自在に装着することができる結露受け部１１を有している。結露受け部１１は、リング状の形状を有し、全周に亘って上方向が開口した凹部を有している。容器２の外側部と蓄冷部７の内側および外側のうちの少なくとも一方で発生した結露を結露受け部１１で貯水可能としている。
【００２９】
次に、カバー８について図４と図６および図７を用いて説明する。
図４において、カバー８は蓄冷剤が充填された蓄冷部７を有している。カバー８の蓄冷部７は、長手部１２の長手方向が容器２の縦方向に沿うように離間部１３を介して複数配置されている。カバー８の蓄冷部７は複数の長手部１２と、その長手部１２間を連結させるために短手部１４を配置させることで、蓄冷部７を連続した蛇行した形状に形成している。これにより、例えば、蓄冷部７の一方の端部から蓄冷剤を一度に充填することができ、カバー８の構成を簡略化しカバー８を安価に作成することができる。また、カバー８の両端である四隅には面ファスナー１８が設けられている。面ファスナー１８の位置は、カバー８を容器２に装着するとき容器２の下部外側部４と上部外側部５のそれぞれの位置に対応しており、カバー８を容器２に装着するとき面ファスナー１８によって容器２の径方向を締め付けて固定することができる。
【００３０】
図６は、カバー８を容器２の外側部に沿って装着したときに、カバー８を複数の蓄冷部７の長手方向に直交する線分で切った断面図であり、図６に示すように、カバー８の断面形状は、２枚のシート１７同士を張り合わせて必要箇所を加熱圧着させることで、例えば、離間部１３を形成することにより蓄冷部７を形成し、蓄冷部７に蓄冷剤が充填されることで楕円〜円形の断面形状を形成することができる。蓄冷部７の断面形状が楕円〜円形の形状になることで、蓄冷部７と容器２の外側部とが接触する接触部の長さ１５は、接触部に隣接する蓄冷部７と容器２の外側部とが接触しない非接触部の長さ１６より短くなっている。
【００３１】
以上のように構成されたブレンダーについて、以下その動作、作用を説明する。
冷凍庫で蓄冷部７に充填されている蓄冷剤を凍らせたカバー８を、容器２の下部外側部４と中部外側部６と上部外側部５の外側部に沿って装着させる。容器２内部に被調理材である水または牛乳などの冷えた液体を入れ、次に所定の大きさに切削された冷えた果物または野菜を容器２に入れ、容器２に蓋をして、操作部のスイッチをオン操作して、電動機を回転駆動させる。このとき、必要に応じて容器２に氷を入れる。電動機を回転駆動することにより、切削部１が回転し、被調理材が切削部１により切削、撹拌されて容器２内にジュースができる。
【００３２】
蓄冷部７に充填されている蓄冷剤を凍らせたカバー８を、容器２の外側部に沿って装着させることにより、切削、撹拌された容器２内のジュースに対して、室温による温度の上昇を抑え保冷することができる。
【００３３】
なお、冷凍庫で蓄冷部７に充填されている蓄冷剤を凍らせたカバー８を容器２の外側に装着させる時期は、ジュースが出来上がってからでも良く、必要に応じて装着させればよい。つまり、被調理材の調理後に保冷の必要がないときにはカバー８を容器２に装着させなければ良い。
【００３４】
蓄冷部７に充填されている蓄冷剤を凍らせたカバー８を、容器２の下部外側部４と中部外側部６と上部外側部５の外側部に沿って装着させる際に、カバー８の蓄冷部７は長手部１２の形成方向が容器２の縦方向に沿うように離間部１３を介して複数配置されることにより、離間部１３でカバー８が容易に折れ曲がることで、容器２の外側部に沿ってカバー８を容易に装着することができる。
【００３５】
蓄冷部７に充填されている蓄冷剤を凍らせたカバー８を容器２の下部外側部４と中部外側部６と上部外側部５の外側部に沿って装着してしばらく時間が経過すると、容器２の外側部とカバー８の内側および外側のうちの少なくとも一方で結露が発生する。図２に示すように、発生した結露は水滴となり、水滴は水滴自身の自重により下方向に流れる。カバー８の内側および外側に発生した結露は水滴となって、カバー８の内側および外側に沿って下方向へ流れ結露受け部１１で形成された凹部に落下する。容器２の外側部に発生した
結露は水滴となって、容器２の外側部に沿って下方向へ流れ容器台１０の側面と結露受け部１１の上面を介して結露受け部１１で形成された凹部に流れる。結露受け部１１で形成された凹部の水滴は結露受け部１１で貯水される。
【００３６】
これによって、容器２の外側部と蓄冷部７の内側および外側のうちの少なくとも一方で発生した結露を結露受け部１１で貯水可能とすることとなり、装置を載置したテーブル等を結露で濡らすことがないものである。ここで、容器台１０の上面と容器２の下部外側部４の下面が接することによって、結露水が容器台１０の内側へ流れることを防止し、結露受け部１１側に貯水することができる。
【００３７】
蓄冷部７の断面形状が楕円〜円形の形状になることで、蓄冷部７と容器２の外側部とが接触する接触部の長さ１５は、接触部に隣接する蓄冷部７と容器２の外側部とが接触しない非接触部の長さ１６より短くなっている。これによって、容器２に蓄冷部７が接する面積を小さくすることとなり、蓄冷剤の冷気が必要以上に容器２側に移り難くなり、蓄冷剤の保冷効果を長く持続させることができる。
【００３８】
以上のように、本実施の形態では、カバー８を容器２の外側部に着脱可能とすることで、必要に応じてカバー８を容器２の外側に装着でき、装置自体が必要最低限の構成となるため、装置自体が大型化することを防止できる。
【００３９】
また、容器２の外側部である中部外側部６の直径Ｄ１が下部外側部４と上部外側部５のそれぞれの直径Ｄ２、Ｄ３より小さく形成されている。換言すれば、容器２の外側部である両端に向かう程スカート状に直径が広がった形状となっている。この形状とすることにより、蓄冷部７を有するカバー８が容器２の上下方向に対して位置ズレし難く、安定して容器に密着させることができる。
【産業上の利用可能性】
【００４０】
以上のように、本発明にかかるブレンダーは、装置自体が大型化することなく、被調理材の温度の上昇を抑制することが可能となるので、種々の調理機器の用途にも適用可能である。
【符号の説明】
【００４１】
１  切削部
２  容器
３  内側部
４  下部外側部
５  上部外側部
６  中部外側部
７  蓄冷部
８  カバー
９  本体
１０  容器台
１１  結露受け部
１２  長手部
１３  離間部
１４  短手部
１５  接触部の長さ
１６  非接触部の長さ
１７  シート
１８  面ファスナー
【図１】
2016150194.tif 000003
【図２】
2016150194.tif 000004
【図３】
2016150194.tif 000005
【図４】
2016150194.tif 000006
【図５】
2016150194.tif 000007
【図６】
2016150194.tif 000008
【図７】
2016150194.tif 000009